(57)【要約】【課題】包装時の作業性を改善し、また、強度を向上させて、重量のある物品にも対応できるようにする。【解決手段】物品の頂面に被せる頂面板１の一対の辺に側面板２を連設し、側面板２に物品のフランジ部分が嵌まり込む嵌合部３を設け、頂面板１の他対の辺から延出した端折片４と、側面板２の側端から延出した端面板５とを折込片６を介して繋ぎ、端折片４及び折込片６を、その境界の斜折線７に沿って谷折りし、頂面板１の裏側に順次重なるように折り曲げて、頂面板１と物品の頂面間に挟み込み、側面板２及び端面板５で物品の頂部を包囲する物品包装体において、前記端折片４の先端部に、折込片６から切り離された押舌部８を設け、押舌部８で端折片４及び折込片６の折り曲げが促されるようにする。また、側面板２とその裏側に重なる内側板９の嵌合部３で物品を支持するようにする。【選択図】図４
2013023239.tif 000002
【特許請求の範囲】
【請求項１】
物品の頂面に被せる頂面板(1)の一対の辺に側面板(2)を連設し、側面板(2)に物品のフランジ部分が嵌まり込む嵌合部(3)を設け、頂面板(1)の他対の辺から延出した端折片(4)と、側面板(2)の側端から延出した端面板(5)とを折込片(6)を介して繋ぎ、端折片(4)及び折込片(6)を、その境界の斜折線(7)に沿って谷折りし、頂面板(1)の裏側に順次重なるように折り曲げて、頂面板(1)と物品の頂面間に挟み込み、側面板(2)及び端面板(5)で物品の頂部を包囲する物品包装体において、前記端折片(4)の先端部に、折込片(6)から切り離された押舌部(8)を設け、端折片(4)及び折込片(6)を頂面板(1)の裏側へ折り曲げる際、押舌部(8)が内側へ突出して、物品の頂面に当接することにより、端折片(4)及び折込片(6)の折り曲げが促されるようにしたことを特徴とする物品包装体。
【請求項２】
前記側面板(2)に内側板(9)を連設し、内側板(9)にも嵌合部(3)を設け、内側板(9)を側面板(2)の裏側へ折り曲げて、側面板(2)と内側板(9)の嵌合部(3)で物品を支持するようにしたことを特徴とする請求項１に記載の物品包装体。
【発明の詳細な説明】
【技術分野】
【０００１】
この発明は、食品入り蓋付き瓶やカップ等の物品の包装体であって、物品の頂部を包囲して保持する形式のものに関する。
【背景技術】
【０００２】
例えば、下記特許文献１には、プリン、ゼリー等の食品入りカップを複数個纏めて販売するため、その頂部を包装する紙製の包装体として、図６乃至図８に示すようなものが記載されている。
【０００３】
この包装体のブランクでは、図６に示すように、長方形状の頂面板５１の一対の長辺に側面板５２が連設され、側面板５２には、頂面板５１との境界付近に嵌合部５３が切込により設けられている。頂面板５１の他対の短辺には端折片５４が連設され、側面板５２の側端には端面板５５が連設されている。
【０００４】
端折片５４と端面板５５とは、三角形の折込片５６を介して繋がれ、端折片５４と折込片５６の境界をなす斜折線５７は、表面側が窪むように谷折りする罫線とされている。
【０００５】
このようなブランクから成る包装体を使用する際には、図７に示すように、ブランクを裏返し、頂面板５１から側面板５２を起こす方向へ折り曲げ、端折片５４及び折込片５６を、その境界の斜折線５７に沿って谷折りしつつ、頂面板５１の裏側に順次重なるように折り曲げて、頂面板５１と倒立させたカップＣの頂面間に挟み込む。
【０００６】
そして、カップＣのフランジ部分を嵌合部５３に嵌め込み、図８に示すように、包装体及びカップＣを正立させると、側面板５２及び端面板５５が頂面板５１から下方へ折り曲げた状態に保持され、カップＣと包装体とが固定されて、側面板５２及び端面板５５によりカップＣの頂部が包囲された状態となる。
【先行技術文献】
【特許文献】
【０００７】
【特許文献１】特許第２９６２８０２号公報
【発明の概要】
【発明が解決しようとする課題】
【０００８】
しかしながら、上記のような包装体では、物品を包装する際、端折片５４と折込片５６とを確実に折り重ねるのが難しく、作業性がよくないという問題がある。
【０００９】
また、包装する物品が佃煮入りの瓶のように、重量の大きなものである場合、強度が不足し、運搬時に包装体の中間部を持ち上げると、物品の間で側面板５２が座屈して折れ曲がってしまう虞がある。
【００１０】
そこで、この発明は、包装時の作業性を改善し、また、強度を向上させて、重量のある物品にも対応できるようにすることを課題とする。
【課題を解決するための手段】
【００１１】
上記課題を解決するため、この発明は、物品の頂面に被せる頂面板の一対の辺に側面板を連設し、側面板に物品のフランジ部分が嵌まり込む嵌合部を設け、頂面板の他対の辺から延出した端折片と、側面板の側端から延出した端面板とを折込片を介して繋ぎ、端折片及び折込片を、その境界の斜折線に沿って谷折りし、頂面板の裏側に順次重なるように折り曲げて、頂面板と物品の頂面間に挟み込み、側面板及び端面板で物品の頂部を包囲する物品包装体において、前記端折片の先端部に、折込片から切り離された押舌部を設け、端折片及び折込片を頂面板の裏側へ折り曲げる際、押舌部が内側へ突出して、物品の頂面に当接することにより、端折片及び折込片の折り曲げが促されるようにしたのである。
【００１２】
また、前記側面板に内側板を連設し、内側板にも嵌合部を設け、内側板を側面板の裏側へ折り曲げて、側面板と内側板の嵌合部で物品を支持するようにしたのである。
【発明の効果】
【００１３】
この物品包装体では、物品の頂部を包装する際、物品の頂面に端折片の押舌部を押し付けるようにするだけで、端折片及び折込片の折り曲げが促されて、頂面板と物品の頂面間に端折片と折込片とが挟み込まれるので、包装作業を容易に行うことができる。
【００１４】
また、側面板の裏側に内側板を折り重ねたことにより、荷重に対する強度が向上し、佃煮入りの瓶のように重量のある物品の包装にも対応できる。
【図面の簡単な説明】
【００１５】
【図１】この発明に係る物品包装体のブランクを示す図
【図２】同上の組立過程を示す斜視図
【図３】同上の物品包装過程を示す斜視図
【図４】同上の物品包装状態を示す斜視図
【図５】同上の頂部の縦断正面図
【図６】従来の物品包装体のブランクを示す図
【図７】同上の物品包装過程を示す斜視図
【図８】同上の物品包装状態を示す斜視図
【発明を実施するための形態】
【００１６】
以下、この発明の実施形態を添付図面に基づいて説明する。
【００１７】
この包装体は、佃煮入りの瓶を２個纏めて包装するものであり、図１に示す板紙製のブランクから形成される。
【００１８】
このブランクでは、２個の瓶の頂面に対応する膨出部を備えた頂面板１の対向する長辺に側面板２が連設され、側面板２には、頂面板１との境界付近に、瓶のフランジ部分となる蓋が嵌まり込む長穴状の嵌合部３が設けられている。頂面板１の対向する短辺には、端折片４が連設され、側面板２の側端には端面板５が連設されている。
【００１９】
端折片４と端面板５とは、台形状の折込片６を介して繋がれ、端折片４と折込片６の境界をなす斜折線７は、表面側が窪むように谷折りする切目入りの罫線とされている。
【００２０】
端折片４の先端部には、頂面板１との境界の折目線に対し直角をなす２本の平行な切目線により折込片６から切り離された押舌部８が設けられている。
【００２１】
側面板２の先端には、内側板９が連設され、内側板９にも、側面板２の嵌合部３に対応する嵌合部３が凹状の切込により設けられている。
【００２２】
また、頂面板１の四隅に臨む部分には、端折片４、端面板５及び折込片６の折り曲げを容易にするため、逃穴１０が設けられ、他の部分の境界となる折目線にも、折曲抵抗を軽減するため、切目が入れられている。
【００２３】
このようなブランクから成る包装体を使用する際には、図２に示すように、前作業として、折癖をつけるため、ブランクを裏返し、頂面板１から側面板２を起こす方向へ折り曲げ、端折片４及び折込片６を、その境界の斜折線７に沿って谷折りし、これに伴い、押舌部８を内側へ突出させる。また、側面板２から内側板９を内側へ折り曲げる。
【００２４】
次に、図３に示すように、瓶Ｂを２個並べた状態で、包装体を表向きにして、頂面板１を瓶Ｂの蓋の頂面に被せ、頂面板１を下方へ押すと、内側へ突出した押舌部８が瓶Ｂの蓋の頂面に当接して、端折片４及び折込片６の折り曲げが促される。
【００２５】
そして、重なり合った側面板２と内側板９を少し外側へ撓ませつつ、その嵌合部３に瓶Ｂのフランジ部分となる蓋の外周部を嵌め込むと、図４及び図５に示すように、端折片４及び折込片６が頂面板１の裏側に順次重なって、頂面板１と瓶Ｂの蓋の頂面間に挟み込まれ、側面板２及び内側板９の復元に伴い、嵌合部３から瓶Ｂの蓋が抜け止めされる。
【００２６】
これにより、側面板２及び端面板５が頂面板１から下方へ折り曲げた状態に保持され、２本の瓶Ｂと包装体とが固定されて、側面板２及び端面板５により瓶Ｂの頂部が包み込まれた状態となる。
【００２７】
上記のような包装体では、瓶Ｂの頂部を包装する際、瓶Ｂを正立させたまま、端折片４の押舌部８を瓶Ｂの蓋の頂面に押し付けるだけで、端折片４及び折込片６の折り曲げが促されて、頂面板１と瓶Ｂの蓋の頂面間に端折片４と折込片６とが挟み込まれるので、包装作業を容易に行うことができる。
【００２８】
また、側面板２の裏側に内側板９を折り重ねたことにより、荷重に対する強度が向上して、瓶Ｂのように重量のある物品の包装にも対応でき、運搬時に包装体の中間部を持ち上げても、側面板２が座屈しにくく、包装体からの瓶Ｂの脱落が防止される。
【００２９】
なお、上記実施形態では、２個の瓶Ｂを包装するものを例示したが、嵌合部３の個数を増減することにより、３個以上の瓶Ｂの包装に対応することもできるほか、キャンペーンの表示用等として、１個のみの瓶Ｂの包装に対応することもできる。
【００３０】
また、物品として、食品入りの瓶Ｂを包装するものを例示したが、この包装体は、プリンやゼリー等の食品入りカップのような頂部にフランジを有する他の物品の包装に使用することもできる。
【符号の説明】
【００３１】
１  頂面板
２  側面板
３  嵌合部
４  端折片
５  端面板
６  折込片
７  斜折線
８  押舌部
９  内側板
１０  逃穴
Ｂ  瓶
【図１】
2013023239.tif 000003
【図２】
2013023239.tif 000004
【図３】
2013023239.tif 000005
【図４】
2013023239.tif 000006
【図５】
2013023239.tif 000007
【図６】
2013023239.tif 000008
【図７】
2013023239.tif 000009
【図８】
2013023239.tif 000010